(57)【要約】【課題】使用者の身体への負荷を軽減し、効率的な草刈りができ、使用者の安全性を高めることができる歩行型草刈り機を提供する。【解決手段】歩行型草刈り機１は、操作桿１１と、把持部１０と、安全カバー体１３と、を有し、安全カバー体１３には、角度調整可能な第１の滑動補助体１４ａ〜１４ｄが取り付けられ、把持部１０には、角度調節可能な第２のハンドル１０ｂが取り付けられている。また、安全カバー体１３は、刈り取った草を収容する集草容器を取り付け可能な集草容器取付部を有し、集草容器を取り付けることができることを特徴とする。【選択図】図１
2008283926.tif 000002
【特許請求の範囲】
【請求項１】
操作桿の一端に電力モータ収容部を取り付け、他端に把持部を取り付けた歩行型草刈り機において、
前記歩行型草刈り機は、
前記電力モータ収容部内に設けられた電力モータと連動して回転する回転刈刃を取り付け可能な回転刈刃接続体と、
前記回転刈刃接続部に取り付けられた回転刈刃を覆う安全カバー体と、
を有し、
前記安全カバー体には、角度調整可能な第１の滑動補助体が取り付けられていることを特徴とする歩行型草刈り機。
【請求項２】
前記把持部の上部には、運転スイッチが設置された第１のハンドルが形成され、
前記把持部の下部には、角度調節可能な第２のハンドルが取り付けられていることを特徴とする請求項１記載の歩行型草刈り機。
【請求項３】
前記安全カバー体は、前記電力モータ収容部に取り付けられた第１のカバー体と、前記第１のカバー体に取り付けられる着脱可能な第２のカバー体と、で構成されていることを特徴とする請求項１又は２記載の歩行型草刈り機。
【請求項４】
前記第２のカバー体は、刈り取った草を収容する集草容器を取り付け可能な集草容器取付部を有することを特徴とする請求項３記載の歩行型草刈り機。
【請求項５】
前記電力モータ収容部は、支柱板に固定された第２の滑動補助体を取り付け可能な滑走補助体取付部を有することを特徴とする請求項１から４のいずれか記載の歩行型草刈り機。
【請求項６】
前記運転スイッチは、押圧型であって、前記第１のハンドルの取っ手部分に設けられた把持レバーを把持することで当該運転スイッチが押圧されて機能するが、前記第１のハンドルの取っ手部分に設けられた把持レバーを把持しても、当該運転スイッチの押圧を防止する押圧防止機構が設けられていることを特徴とする請求項２記載の歩行型草刈り機。
【発明の詳細な説明】
【技術分野】
【０００１】
本発明は、使用者が歩行しながら回転刈刃を回転させて雑草や芝生等を刈り取る歩行型草刈り機に関する。
【背景技術】
【０００２】
従来より、使用者が歩行しながら雑草や芝生等を刈り取る歩行型草刈り機がある。この種の歩行型草刈り機は、使用者が車輪付きの操作桿の操作ハンドルを持って操作したり、肩掛けベルトを取り付けた肩掛け式や背負い補助具を取り付けた背負い式のものによって操作したりと、使用者の身体への負荷を軽減し、疲労を生じさせにくいように構成されている（特許文献１，２参照）。
【０００３】
また、歩行型草刈り機の操作中に使用者が刈刃に触れたり、刈刃が巻き込んだ小石等が飛び跳ねたりしないように、安全カバーが設けられているものもある（特許文献３参照）。
【０００４】
【特許文献１】特開２００６−１２１９０７号公報
【特許文献２】実用新案登録第３１１９６５７号公報
【特許文献３】実開平６−３３４１９号公報
【発明の開示】
【発明が解決しようとする課題】
【０００５】
しかしながら、従来の歩行型草刈り機は、前後左右に回転自在の車輪を取り付けることとしているが、使用者に対する歩行型草刈り機の位置や角度等を調節することができないことから、無理な体勢で歩行型草刈り機を操作していることもあり、必ずしも使用者の身体への負荷を軽減しているとはいえなかった。
【０００６】
また、従来の歩行型草刈り機は、刈り取った草は地面に堆積されていき、適宜使用者がかき集めて回収していたが、作業の効率化のためにも、刈り取った草を自動的に回収することが望ましい。
【０００７】
本発明は、このような点に鑑みてなされたものであり、その目的は、使用者の身体への負荷を軽減し、効率的な草刈りができ、使用者の安全性を高めることができる歩行型草刈り機を提供することにある。
【課題を解決するための手段】
【０００８】
以上のような課題を解決するために、本発明は、操作桿と、把持部と、安全カバー体と、を有し、安全カバー体には、角度調整可能な第１の滑動補助体が取り付けられ、把持部には、角度調節可能な第２のハンドルが取り付けられていることを特徴とする。また、安全カバー体は、刈り取った草を収容する集草容器を取り付け可能な集草容器取付部を有し、集草容器を取り付けることができることを特徴とする。
【０００９】
より具体的には、本発明は、以下のものを提供する。
【００１０】
（１）  操作桿の一端に電力モータ収容部を取り付け、他端に把持部を取り付けた歩行型草刈り機において、前記歩行型草刈り機は、前記電力モータ収容部内に設けられた電力モータと連動して回転する回転刈刃を取り付け可能な回転刈刃接続体と、前記回転刈刃接続部に取り付けられた回転刈刃を覆う安全カバー体と、を有し、前記安全カバー体には、角度調整可能な第１の滑動補助体が取り付けられていることを特徴とする歩行型草刈り機。
【００１１】
上記構成を有する本発明によれば、電力モータ収容部内に設けられた電力モータと連動して回転する回転刈刃接続体には回転刈刃を取り付け可能であって、回転刈刃は安全カバー体によって覆われていることから、歩行型草刈り機の操作中に使用者が刈刃に触れたり、刈刃が巻き込んだ小石等が飛び跳ねて使用者に当たることを防止することができ、使用者の安全性を高めることができる。
【００１２】
また、安全カバー体には、角度調整可能な第１の滑動補助体が取り付けられていることから、使用者の体格や操作姿勢に応じて第１の滑動補助体の角度を調整することができ、使用者の身体への負荷を軽減することができる。また、角度調整可能な第１の滑動補助体によって、地面置きした際の地面との高さを調整することで、草の刈り高さを調整することもできる。
【００１３】
（２）  前記把持部の上部には、運転スイッチが設置された第１のハンドルが形成され、前記把持部の下部には、角度調節可能な第２のハンドルが取り付けられていることを特徴とする歩行型草刈り機。
【００１４】
上記構成を有する本発明によれば、上部に第１のハンドルが、下部に第２のハンドルが、それぞれ設けられていることから、使用者は左右両手で上下のハンドルを把持して操作することができる。この際に、使用者の腕の長さや操作姿勢に応じて第２のハンドルの角度を調節することができ、使用者の身体への負荷を軽減することができる。特に、上下方向（操作桿の長手方向）に角度調節可能な第２のハンドルによって、上下方向に位置する使用者の左右両手の位置を適切に調整することが可能となる。
【００１５】
（３）  前記安全カバー体は、前記電力モータ収容部に取り付けられた第１のカバー体と、前記第１のカバー体に取り付けられる着脱可能な第２のカバー体と、で構成されていることを特徴とする歩行型草刈り機。
【００１６】
上記構成を有する本発明によれば、安全カバー体は、電力モータ収容部に取り付けられた第１のカバー体と、第１のカバー体に取り付けられる着脱可能な第２のカバー体と、で構成されていることから、第２のカバー体を脱着することで、安全カバー体の重量を減少することができ、使用者の操作時における操作負担を軽減することができる。特に、使用時における使用者側に位置する安全カバー体を第１のカバー体とすることで、第２のカバー体を脱着しても使用者の安全性を確保することができる。
【００１７】
（４）  前記第２のカバー体は、刈り取った草を収容する集草容器を取り付け可能な集草容器取付部を有することを特徴とする歩行型草刈り機。
【００１８】
上記構成を有する本発明によれば、刈り取った草を収容する集草容器を取り付け可能な集草容器取付部を有することから、かかる集草容器取付部に集草容器を取り付けた歩行型草刈り機によって、刈り取った草を集草容器に自動的に回収することができ、効率的な草刈りをすることができる。
【００１９】
（５）  前記電力モータ収容部は、支柱板に固定された第２の滑動補助体を取り付け可能な滑走補助体取付部を有することを特徴とする歩行型草刈り機。
【００２０】
上記構成を有する本発明によれば、電力モータ収容部は第２の滑動補助体を取り付け可能な滑走補助体取付部を有することから、第２の滑動補助体を取り付けた歩行型草刈り機によって、通常の地面置きの使用とは異なる使用方法ができ、使用目的に応じた使用ができる。
【００２１】
（６）  前記運転スイッチは、押圧型であって、前記第１のハンドルの取っ手部分に設けられた把持レバーを把持することで当該運転スイッチが押圧されて機能するが、前記第１のハンドルの取っ手部分に設けられた把持レバーを把持しても、その押圧を防止する押圧防止機構が設けられていることを特徴とする歩行型草刈り機。
【００２２】
上記構成を有する本発明によれば、運転スイッチは、第１のハンドルの取っ手部分に設けられた把持レバーと、把持レバーを把持しても、把持レバーの押圧を防止する押圧防止機構と、が設けられており、把持レバーを把持しても、押圧防止機構によってその押圧が防止されることから、不意に運転スイッチが機能して回転刈刃が回転することなく、使用者の安全性を高めることができる。
【００２３】
すなわち、使用者は、使用時に第１のハンドルの取っ手部分を把持するほか、運搬時や収納時にもこの取っ手部分を把持することが多く、取っ手部分に設けられた把持レバーを把持することで運転スイッチが押圧されて機能するような歩行型草刈り機では、不意に運転スイッチが作動して不便なことが多い。そのため、運転スイッチの押圧を防止する押圧防止機構を設けることで、使用時は押圧防止機構を解除することによって回転刈刃を回転させ、運搬時や収納時は押圧防止機構によって運転スイッチが機能して回転刈刃が回転することがない。
【発明の効果】
【００２４】
以上説明したように、本発明は、角度調整可能な第１の滑動補助体によって、また、角度調節可能な第２のハンドルによって、使用者に応じた歩行型草刈り機の角度調整が可能となり、使用者の身体への負荷を軽減することができる。また、第２のカバー体を脱着することで、安全カバー体の重量を減少することができ、使用者の身体への負荷を軽減することができる。
【００２５】
また、集草容器を取り付けた歩行型草刈り機によって、刈り取った草を集草容器に自動的に回収することができることから、効率的な草刈りをすることができる。
【００２６】
さらに、回転刈刃は安全カバー体によって覆われており、また、第１のハンドルの取っ手部分に設けられた把持レバーを把持しても、その押圧を防止する押圧防止機構が設けられており、不意に運転スイッチが機能して回転刈刃が回転することがないことから、使用者の安全性を高めることができる。
【発明を実施するための最良の形態】
【００２７】
以下、本発明を実施するための最良の形態について、図面に基づいて説明する。
【００２８】
［外観構成］
図１は、本発明の実施の形態に係る歩行型草刈り機１を示す図である。
【００２９】
歩行型草刈り機１は、把持部１０と、操作桿１１と、電力モータ収容部１２と、安全カバー体１３と、滑動補助体１４としての車輪１４ａ，１４ｂ，１４ｃ，１４ｄと、把持レバー１５と、電源コード１６と、を有する。
【００３０】
把持部１０は、操作桿１１の上端に取り付けられている。把持部１０の上部には、使用者が把持することのできるような略三角形状の空隙が第１のハンドル１０ａとして形成されている。使用者は、第１のハンドル１０ａを把持して操作することとなるので、操作しやすいように押圧型の運転スイッチとしての把持レバー１５が設けられている。
【００３１】
また、把持部１０の下部には、角度調節可能な第２のハンドル１０ｂが取り付けられている。具体的には、第２のハンドル１０ｂの径部分中央には回転軸（ボルト）、角度調整ノブ１０ｃが取り付けられている。角度調整ノブ１０ｃを緩めることによって回転軸への締め付けが緩み、第２のハンドル１０ｂの角度を変化させることができる。そして、位置決めを行った後に角度調整ノブ１０ｃを締め付けることによって、回転軸への締め付けが強まり、その角度に第２のハンドル１０ｂを固定することができる。従って、使用者は、第２のハンドル１０ｂを作業を行い易い角度に調整して固定することができ、第１のハンドル１０ａと、任意の角度に調整した第２のハンドル１０ｂと、を把持して作業を行うことができるため、取り回しが容易となる。
【００３２】
操作桿１１は、伸縮自在なジョイント１１ａが取り付けられており、使用者の体格に応じた長さに調節可能であることから、使用者の身体への負荷を軽減することができる。操作桿１１は円筒形状をなしており、筒状部分には、電源コード１６からの電力を供給する電力線が収容される。
【００３３】
電力モータ収容部１２は、操作桿１１の下端に取り付けられており、電力モータ収容部１２内には電力モータが設けられている。このように、動力源となる重量の重い電力モータを機器下部に位置させることで、安定的な機器の使用が可能となる。例えば、機器上部に重量の重い動力源を位置させると、使用者の手に動力源の負荷がかかって疲れが生じやすくなるばかりか、重いものが上側に位置することで使用の際にぶれが生じて、安定的な使用の妨げとなる可能性がある。なお、電力モータは、ＡＣ電源、充電器、ソーラーセル等からの電力供給によって駆動することができる。
【００３４】
安全カバー体１３は、回転刈刃を覆うことのできる円盤状で形成されており、電力モータ収容部１２に取り付けられた略半円状の第１のカバー体１３ａと、第１のカバー体１３ａに取り付けられる着脱可能な略半円状の第２のカバー体１３ｂと、で構成されている。第１のカバー体１３ａには、車輪１４ａ，１４ｂが取り付けられ、第２のカバー体１３ｂには、車輪１４ｃ，１４ｄが取り付けられている。
【００３５】
電源コード１６は、第１のハンドル１０ａ近傍に取り付けられており、使用者は、電源コード１６のプラグを電力供給手段に接続して、電力を供給することができる。なお、電力モータ収容部１２内に充電器を設けることもでき、充電器から電力モータに電力を供給することもできる。この場合は、電源コード１６は、充電用のコードとして機能させることもでき、或いは、不要である。
【００３６】
［滑動補助体の角度調整機構］
図２は、本発明の実施の形態に係る歩行型草刈り機１の滑動補助体１４の角度調整機構を説明するための図である。
【００３７】
本発明の実施の形態に係る歩行型草刈り機１の滑動補助体１４は安全カバー体１３に間接的に取り付けられ、安全カバー体１３上に形成されて固定された固定部２０ａと、固定部２０ａと滑動補助体１４との間に設けられて回転可能な回転部２０ｂと、で角度調整機構が構成されている。
【００３８】
固定部２０ａと回転部２０とは、バネ等の付勢手段によって固定部２０ａ方向に付勢されており、固定部２０ａに形成された凹凸部分と、回転部２０ｂに形成された凹凸部分と、は、常時は凹凸部分が係合しており滑動補助体１４が安全カバー体に対して固定されている（図２（ａ））。この状態から、滑動補助体１４（回転部２０ｂ）を外側に引っ張り、回転部２０ｂと固定部２０ａとの凹凸部分を離すと係合が解除されて回転部２０ｂの回転が可能となる（図２（ｂ））。回転によって位置決めをし、所望の角度のところで再び凹凸部分を係合して、滑動補助体１４を安全カバー体に対して固定することができる（図２（ｃ））。
【００３９】
［回転刈刃］
図３は、本発明の実施の形態に係る歩行型草刈り機１の底面図である。
【００４０】
歩行型草刈り機１の底面には、回転刈刃接続体１７が設けられており、回転刈刃接続体１７に回転刈刃を取り付けて使用する。
【００４１】
図４及び図５は、回転刈刃３０，３１の例を示す図である。なお、刈刃は、ナイロン製であっても、金属製であってもよい。
【００４２】
図４に示す回転刈刃３０は、３本の刈刃３１ａ，３１ｂ，３１ｃを有する。歩行型草刈り機１の回転刈刃接続体１７に接続する接続部３３から伸びた舌部の先端に刈刃３１ａ，３１ｂ，３１ｃが設けられており、刈刃３１ａ，３１ｂ，３１ｃ自体も回転刈刃３０に対して回転可能に構成されているが、刈刃３１ａ，３１ｂ，３１ｃ自体の回転を抑止する突起部３２ａ，３２ｂ，３２ｃがそれぞれ形成されている。
【００４３】
回転刈刃３０の回転中は、遠心力によって刈刃３１ａ，３１ｂ，３１ｃは半径方向に位置するが（図４（ａ））、回転刈刃３０を使用していないときは、刈刃３１ａ，３１ｂ，３１ｃは突起部３２ａ，３２ｂ，３２ｃによってそれぞれ抑止されるので（図４（ｂ））、使用しないときに刈刃を自動的に引っ込めることができる。
【００４４】
図５に示す回転刈刃３０'は、２本のナイロンコード３１ａ'，３１ｂ'を有する。歩行型草刈り機１の回転刈刃接続体１７に接続した接続部３３'が回転されることで、ナイロンコード３１ａ'，３１ｂ'も回転する。
【００４５】
［安全カバー体］
図６は、本発明の実施の形態に係る歩行型草刈り機１の安全カバー体１３を示す図である。
【００４６】
図６（ａ）は、第１のカバー体１３ａに車輪１４ａ，１４ｂが取り付けられた状態を示している。第１のカバー体１３ａは、その円周面上に第２のカバー体が嵌挿される嵌挿部１９ａ，１９ｂ，１９ｃが形成されている。また、第１のカバー体１３ａは、第２のカバー体に設けられた装着部材を装着する装着部１９ｄが形成されている。
【００４７】
図６（ｂ）は、第２のカバー体１３ｂに車輪１４ｃ，１４ｄが取り付けられた状態を示している。第２のカバー体１３ｂは、その円周面上に第１のカバー体１３ａと嵌挿する嵌挿凸部１９ａ'，１９ｂ'，１９ｃ'が形成されている。この嵌挿凸部１９ａ'，１９ｂ'，１９ｃ'を嵌挿部１９ａ，１９ｂ，１９ｃと嵌挿することで、第１のカバー体１３ａと第２のカバー体１３ｂとを組み合わせる。また、第２のカバー体１３ｂは、装着部材１９ｄ'が設けられており、装着部材１９ｄ'を装着部１９ｄに装着することで、第１のカバー体１３ａと第２のカバー体１３ｂとを固定することができる。
【００４８】
［集草］
図７は、本発明の実施の形態に係る歩行型草刈り機１に集草容器４２を取り付けた状態を示す図である。
【００４９】
第２のカバー体１３ｂは、刈り取った草を収容する集草容器４２を取り付け可能な集草容器取付部４０を有しており（図６（ｂ）参照）、集草容器取付部４０に集草容器４２を取り付けて、刈り取った草を集草容器４２に自動的に回収することができる。なお、第２のカバー体１３ｂは、、集草容器取付部４０が設けられていない一端から集草容器取付部４０に向かって円周面が盛り上がって形成されている。すなわち、回転刈刃の回転方向と同方向に円周面が盛り上がっていることで、刈り取った草は回転方向に移動して集草容器取付部４０方向に流され、集草容器４２に収容されることとなる。
【００５０】
［第２の滑動補助体］
図８は、本発明の実施の形態に係る歩行型草刈り機１に第２の滑動補助体５０を取り付けた状態を示す図である。
【００５１】
Ｔ字状の第２の滑動補助体５０は、その両脚５０ａ部分に車輪５０ｂが固定されている。かかる第２の滑動補助体５０を歩行型草刈り機１の滑走補助体取付部５１に取り付けることができる。
【００５２】
使用時には、第２の滑動補助体５０の車輪５０ｂをコンクリート塀やブロック塀・ 畦シートに滑動させることで、コンクリート塀やブロック塀近傍のきわ刈りや、畦シート近傍のきわ刈りを行うことができる。
【００５３】
［運転スイッチの押圧防止機構］
図９は、本発明の実施の形態に係る歩行型草刈り機１の運転スイッチの押圧防止機構を説明するための図である。
【００５４】
歩行型草刈り機１の第１のハンドルの取っ手部分内部に設けられた運転スイッチ６０は、押圧防止解除ボタン６０ａと、押圧ボタン６０ｂと、で構成されている。
【００５５】
把持レバー１５を把持することで、押圧ボタン６０ｂが押されて運転スイッチ６０が機能することとなるが、把持レバー１５を把持してもその押圧を防止して一定以上押圧ボタン６０ｂが押圧されないように押圧防止機構が設けられている。使用者は、押圧防止解除ボタン６０ａを押した状態で押圧防止機構を解除し、把持レバー１５を把持して押圧ボタン６０ｂが一定以上押圧されることにより、運転スイッチ６０が機能して入り状態になり、電力モータに電力を供給することができる。
【産業上の利用可能性】
【００５６】
発明に係る歩行型草刈り機は、使用者の身体への負荷を軽減し、効率的な草刈りができ、使用者の安全性を高めることができるものとして有用である。
【図面の簡単な説明】
【００５７】
【図１】本発明の実施の形態に係る歩行型草刈り機を示す図。
【図２】本発明の実施の形態に係る歩行型草刈り機の滑動補助体の角度調整機構を説明するための図。
【図３】本発明の実施の形態に係る歩行型草刈り機１の底面図。
【図４】回転刈刃の例を示す図。
【図５】回転刈刃の例を示す図。
【図６】本発明の実施の形態に係る歩行型草刈り機の安全カバー体を示す図。
【図７】本発明の実施の形態に係る歩行型草刈り機に集草容器を取り付けた状態を示す図。
【図８】本発明の実施の形態に係る歩行型草刈り機に第２の滑動補助体を取り付けた状態を示す図
【図９】本発明の実施の形態に係る歩行型草刈り機の運転スイッチの押圧防止機構を説明するための図。
【符号の説明】
【００５８】
１０  把持部
１１  操作桿
１２  電力モータ収容部
１３  安全カバー体
１４  第１の滑動補助体
１５  把持レバー
１６  電源コード
１７  回転刈刃接続体
３０，３１  回転刈刃
４０  集草容器取付部
４２  集草容器
５０  第２の滑動補助体
５１  滑走補助体取付部
６０  運転スイッチ
６０ｂ  押圧ボタン
６０ａ  押圧防止解除ボタン
【図３】
2008283926.tif 000003
【図４】
2008283926.tif 000004
【図１】
2008283926.tif 000005
【図２】
2008283926.tif 000006
【図５】
2008283926.tif 000007
【図６】
2008283926.tif 000008
【図７】
2008283926.tif 000009
【図８】
2008283926.tif 000010
【図９】
2008283926.tif 000011